(57)【要約】      （修正有）【課題】本体と蓋体とからなる筐体の側部に設けられたコード引出口から外部へ引出されるコードに傷が付かないように固定することのできるコード固定構造を提供する。【解決手段】本体２０と蓋体３０とからなる筐体の嵌合面側に設けられたコード引出口２１から外部へ引出されたコード１５をコード引出口２１に固定するコード固定構造１０において、本体２０にコード引出口２１が設けられ、コード引出口２１にはコード引出口２１形成面に対して略垂直方向にコード受面が延在し、また、蓋体３０にはコード受面にコード１５を押圧固定するコード押圧部３１が設けられ、コード押圧部３１は先端から折り返され密着状態に形成されていることを特徴とする。【選択図】図１
2007165354.tif 000002
【特許請求の範囲】
【請求項１】
本体と蓋体とからなる筐体の嵌合面に設けられたコード引出口から外部へ引出されたコードを該コード引出口に固定するコード固定構造において、
前記本体には、前記コード引出口が設けられ該コード引出口には第一傷発生防止手段が設けられ、
前記蓋体には、該コード引出口に配設された前記コードを押圧固定するコード押圧部が設けられ、該コード押圧部には第二傷発生防止手段が設けられていることを特徴とするコード固定構造。
【請求項２】
前記コード引出口は、正面視形状がＵ字形状、台形形状または方形形状のいずれかの溝形状に形成されていることを特徴とする請求項１に記載のコード固定構造。
【請求項３】
前記第一傷発生防止手段は、前記コード引出口に沿って該コード引出口形成面から突出するコード受面が延在し、該コード受面の終端部には面取り加工または外側方向への曲げ加工が行われていることを特徴とする請求項１または請求項２に記載のコード固定構造。
【請求項４】
前記第一傷発生防止手段は、前記コード引出口の形状に沿って所定の寸法に折り返され密着状態に形成されていることを特徴とする請求項１または請求項２に記載のコード固定構造。
【請求項５】
前記第二傷発生防止手段は、前記コード押圧部の先端部が所定の寸法に折り返され密着状態、または、所定の円弧をもって折り返されていることを特徴とする請求項１に記載のコード固定構造。
【請求項６】
前記コード押圧部は、先端が幅方向に円弧形状または山形形状に形成されていることを特徴とする請求項１乃至請求項５のいずれかに記載のコード固定構造。
【発明の詳細な説明】
【技術分野】
【０００１】
本発明は、例えば電子器機の筐体から外部へ引出されるコード引出し口の形状に係り、詳細にはホルダ、ブッシングなど別体のコード固定部品を用いずに、引出されるコードに傷が付かないように固定することのできるコード固定構造に関する。
【背景技術】
【０００２】
従来のコード固定構造の２例を図９および図１０を用いて説明する。
【０００３】
先ず、第１例について図９を用いて説明する。図９は従来のコード固定構造の第１例の要部を示す概略斜視図である。
【０００４】
７０はコード固定構造で、図９で示すようにシャーシ本体７５、コードホルダ８０およびシャーシ蓋（図示省略）などにより構成されている。
【０００５】
シャーシ本体７５は電子器機（例えば、アンテナアンプ）のシャーシで、方形の底面から４方向に壁部が垂直に立設した箱体をなし、その壁部の所定の位置にはシャーシ本体７５の内部に設けられた基板に接続されたコード７３の引出し口が形成されており、コード引出口７６の側部には、後述するコードホルダ８０を取付けるためのねじ孔などが形成されている。シャーシ本体７５の材料にはめっき鋼板などが用いられプレス加工などにより形成される。
【０００６】
コードホルダ８０は、シャーシ本体７５から引出されるコード７３を拘持しシャーシ本体７５に固定するための部品で、コード拘持部８１と取付部８２とからなり、コード拘持部８１はコード７３を両側から締め付けて動かないように固定する部分で、取付部８２はコード拘持部８１に対して例えば直角方向に形成され、コードホルダ８０をねじ７４でシャーシ本体７５に取付けるための取付孔８３が形成されている。
【０００７】
シャーシ蓋（図示省略）は、シャーシ本体７５に嵌合する箱体で嵌合させた状態でねじなどにより締結するようになっている。シャーシ蓋の材料にはシャーシ本体７５と同じように、めっき鋼板などが用いられプレス加工などにより形成される。
【０００８】
次に、第２例について説明する。図９は従来のコード固定構造の第２例の要部を示す概略斜視図である。尚、第１例と同じ構成については同じ符号を付し説明を省略または簡略説明とする。
【０００９】
７１はコード固定構造で、図１０で示すようにシャーシ本体８５、ブッシング９０およびシャーシ蓋（図示省略）などにより構成されている。
【００１０】
ブッシング９０は、コード７３を所定の寸法に位置決めした状態で、樹脂部材により一体成形したもので、ブッシング９０の外周部にはシャーシ本体８５とシャーシ蓋の板厚に相当する寸法の溝９１が全周に亘り形成されている。
【００１１】
シャーシ本体８５のコード引出口８６の幅寸法は、ブッシング９０の対向する溝９１の底間隔寸法と略同じ寸法（嵌合する寸法）に形成されている。  
【００１２】
シャーシ蓋（図示省略）は、シャーシ本体８５に嵌合する部分と、シャーシ本体８５に嵌合させたブッシング９０の溝９１に嵌合するような寸法に形成された箱体である。尚、ブッシング９０と一体成形されたコード７３は、ブッシング９０がシャーシ本体８５のコード引出口８６とシャーシ蓋に嵌合して固定される。またシャーシ蓋は、シャーシ本体８５に嵌合させた状態でねじなどにより締結するようになっている。シャーシ蓋の材料にはシャーシ本体８５と同じように、めっき鋼板などが用いられプレス加工などにより形成される。
【００１３】
この出願の発明に関する先行技術文献としては次のものがある。
【特許文献１】特開平１０−２５７６４８号
【発明の開示】
【発明が解決しようとする課題】
【００１４】
上述の第１例のコード固定構造７０では、コード７３の所定の位置にコードホルダ８０を固定した後に、シャーシ本体７５のコード引出口７６の側部にねじ７４で固定することになるので、コードホルダ８０の金型費を含めた部品費、取付け加工費などが増えコスト高の要因となる。
【００１５】
また、上述の第２例のコード固定構造７１では、コード７３とブッシング９０とが一体成形されるので、金型費を含めた部品費、取付け加工費などが増えコスト高の要因となる。
【００１６】
先行技術文献に開示されている内容は、車両用のハーネス一体成形グロメットを成形する時に、コード本数に関係なく規則正しく配列させて固定することができるようにしたものであり、コードを挟み固定するコード固定治具と、コード押さえ治具とからなり、コードを挟む部分がばね部材により支えられており可動する構成となっている。
【００１７】
本発明は上述の問題を解決するもので、本体と蓋体とからなる筐体の側部に設けられたコード引出口に、特別な部品を設けることなく外部へ引出されるコードに傷が付かないように固定することのできるコード固定構造を提供することを目的とする。
【課題を解決するための手段】
【００１８】
本発明は上述の目的を達成するもので、本体と蓋体とからなる筐体の嵌合面に設けられたコード引出口から外部へ引出されたコードを該コード引出口に固定するコード固定構造において、前記本体には、前記コード引出口が設けられ該コード引出口には第一傷発生防止手段が設けられ、前記蓋体には、該コード引出口に配設された前記コードを押圧固定するコード押圧部が設けられ、該コード押圧部には第二傷発生防止手段が設けられていることを特徴とするものである。
【００１９】
また、前記コード引出口は、正面視形状がＵ字形状、台形形状または方形形状のいずれかの溝形状に形成されていることを特徴とするものである。
【００２０】
また、前記第一傷発生防止手段は、前記コード引出口に沿って該コード引出口形成面から突出するコード受面が延在し、該コード受面の終端部には面取り加工または外側方向への曲げ加工が行われていることを特徴とするものである。
【００２１】
また、前記第一傷発生防止手段は、前記コード引出口の形状に沿って所定の寸法に折り返され密着状態に形成されていることを特徴とするものである。
【００２２】
また、前記第二傷発生防止手段は、前記コード押圧部の先端部が所定の寸法に折り返され密着状態、または、所定の円弧をもって折り返されていることを特徴とするものである。
【００２３】
また、前記コード押圧部は、先端が幅方向に円弧形状または山形形状に形成されていることを特徴とするものである。
【発明の効果】
【００２４】
以上説明したように本発明の請求項１によれば、本体と蓋体とからなる筐体の嵌合面から引出されるコードを固定するコード引出口とコード押圧部を設け、前記コード引出口と該コード押圧部とに傷発生防止手段を設けることにより、該コードを固定した際に該コード引出口と該コード押圧部のせん断面が直接該コードに当接しないので、該コードの被覆が破れショートするなどの不具合を防止することができる。
【００２５】
請求項２によれば、前記コード引出口の形状は、引出される前記コードが単線の場合には、線径寸法に合ったＵ字形状の溝にすることにより線の略全周に亘り保持されるので固定が確実となる。また、前記台形形状の溝の場合は、溝の底面からテーパー状に壁部が形成されているので、線径寸法の多少の変動にも対応できる。また、溝の底面から開口方向にテーパー状に広くなっているのでコードの装着が容易となる。また、前記方形形状の溝の場合は、単線はもとより複数の線を並列に並べる場合や、複数の線を複数段千鳥状に重ねて固定する場合に、線どうしの接触により固定状態が保持されるので請求項１と同じ効果を得ることができる。
【００２６】
請求項３によれば、前記コード引出口に沿って前記コード受面を設け、該コード受面に面取り加工や曲げ加工が行われているので、該コード引出口のせん断面が直接該コードに当接しないので、請求項１と同じ効果を得ることができる。
【００２７】
請求項４によれば、前記コード引出口の形状に沿って所定の寸法に折り返され密着状態に形成されるので、該コード引出口の周囲に突出部ができないので、筐体内の有効利用または小型化が図られる。その他に請求項１と同じ効果を得ることができる。
【００２８】
請求項５によれば、前記コード押圧部の先端部が所定の寸法に折り返され密着状態、または所定の円弧をもって折り返されているので、請求項１と同じ効果を得ることができる。
【００２９】
請求項６によれば、前記コード押圧部の先端が、幅方向に円弧形状または山形形状に形成されているので、前記コードの線径寸法に差が有り前記コード引出口内で遊びがあっても中央部に寄せられる力が働き中央部の位置に固定することができるので汎用化が図れる。その他に請求項１と同じ効果を得ることができる。
【発明を実施するための最良の形態】
【００３０】
本発明のコード固定構造をアンテナアンプに適用した場合の、事例の一部を図１乃至図８を用いて説明する。
（実施の形態１）
本発明の実施の形態１を図１乃至図５を用いて説明する。
【００３１】
図１は本発明の実施の形態１のコード固定構造を示す概略図で、（ａ）正面図、（ｂ）平面図（一部破断図）である。図２は本実施の形態１のコード固定構造の要部を示す拡大斜視図である。図３は本実施の形態１のコード引出口の終端部の別の形状を示す概略斜視図で、（ａ）第１例図、（ｂ）第２例図である。図４は本実施の形態１のコード押圧部の別の形状を示す概略正面図で、（ａ）第１例図、（ｂ）第２例図である。図５は本実施の形態１と一部が異なるコード固定構造の要部を示す拡大斜視図である。
【００３２】
１０はコード固定構造で、図１で示すようにシャーシ本体２０、シャーシ蓋３０などにより構成されている。
【００３３】
シャーシ本体２０（本体に相当）は電子器機（例えば、アンテナアンプ）のシャーシで、図１、２で示すように方形の底面から４方向に壁部が垂直に立設した箱体をなし、その壁部の所定の位置にはシャーシ本体２０の内部に設けられた基板に接続されたコード１５の引出し口が形成されている。コード引出口２１は、シャーシ本体２０の開口部からＵ字形状のコード引出口２１に沿ってコード引出口２１の形成面に対して略垂直方向にＵ字形状のコード１５のコード受面２２（第一傷発生防止手段に相当）が延在しており、コード受面２２の終端部には面取り部２３設けられている。その他に、図３（ａ）第１例図に示すようにコード受面２２の終端部に外側方向への曲げ部２４を設けてもよく、また、図３（ｂ）第２例図に示すようにコード受面２２の終端部に沿って所定の寸法に折り返し密着曲げ部２５を設けてもよい。尚、コード引出口２１は引出すコード１５の本数に応じて形成される。シャーシ本体２０の材料には、めっき鋼板などが用いられプレス加工などにより形成される。
【００３４】
シャーシ蓋３０（蓋体に相当）は、シャーシ本体２０に嵌合する箱体で、図１、２で示すようにシャーシ本体２０のコード引出口２１に対応する位置に、コード引出口２１から引出されたコード１５を押圧固定するコード押圧部３１が形成されている。コード押圧部３１は、シャーシ本体２０のコード引出口２１の幅寸法よりもやや小さめの幅寸法とし、コード１５に当接する先端部は所定の寸法に折り返されて密着曲げ部３２（第二傷発生防止手段に相当）となっている。その他に、図４（ａ）第１例図に示すようにコード押圧部３１の先端部を幅方向に円弧形状３３に形成してもよく、また、図４（ｂ）第２例図に示すようにコード押圧部３１の先端部を幅方向に山形形状３４に形成してもよい。シャーシ蓋３０の材料には、めっき鋼板などが用いられプレス加工などにより形成される。尚、シャーシ本体２０とシャーシ蓋３０とを嵌合させ、コード１５が押圧固定された状態においてねじなどにより締結するようになっている。
【００３５】
以上説明したように、本発明の実施の形態１のコード固定構造１０によれば、コード引出口２１とコード押圧部３１のそれぞれに第一、第二傷発生防止手段が設けられているので、コード１５を押圧固定した際に、部材のせん断面がコード１５に当接することがなくなる。したがって、コード１５の被覆が破れショートするなどの不具合を防止することができる。その他に、従来例のようにコード１５を固定するための別部材が不要となりコスト低減が図れる。尚、図２で示すシャーシ本体２０のコード引出口２１はＵ字形状のコード１５のコード受面２２（第一傷発生防止手段に相当）が形成されているが、これに限らず、図５に示すようにＵ字形状に沿って所定の寸法に折り返し密着曲げ部２６を設けることにより、図２のように突出部がなくなるので、シャーシ本体２０内の有効容積を増やすことや、必要により突出部に相当する分だけ小型化することもできる。
【００３６】
その他に、図３（ａ）第１例図、（ｂ）第２例図に示すように、コード受面２２の終端部に沿って傷発生防止を行うことにより、さらに、効果的なコード１５の被覆破れ対策が図れる。また、図４（ａ）第１例図、（ｂ）第２例図に示すように、コード押圧部３１の先端部を円弧形状３３または山形形状３４に形成することにより、コード１５の線径寸法に差が有りコード引出口２１内でコード１５の遊びがあっても中央部に寄せる力が働き中央部の位置に固定することができる。
【００３７】
尚、実施の形態１では、シャーシ本体２０にコード引出口２１を設け、シャーシ蓋３０にコード押圧部３１を設けたが、これに限らずシャーシ本体２０側にコード押圧部３１を、シャーシ蓋３０側にコード引出口２１を設ける構成にすることもできる。
【００３８】
その他に、本発明の実施例１では本発明をアンテナアンプに適用した場合について説明したが、これに限らず電子器機内部からコード１５を引出す同じ構造であれば本発明を適用することができる。
（実施の形態２）
本発明の実施の形態２を図６および図７を用いて説明する。図６は本発明の実施の形態２のコード固定構造の要部を示す概略斜視図である。図７は本実施の形態２と一部が異なるコード固定構造の要部を示す拡大斜視図である。尚、実施の形態２は実施の形態１の一部を変更したものであり、実施の形態１と同じ構成については同じ符号を付し説明を省略する。
【００３９】
１１はコード固定構造で、図６で示すようにシャーシ本体４０、シャーシ蓋３０などにより構成されている。
【００４０】
シャーシ本体４０のコード引出口４１は、図６で示すようにシャーシ本体４０の開口部から台形形状に形成されており、コード引出口４１に沿ってコード引出口４１の形成面に対して略垂直方向に台形形状のコード１５のコード受面４２（第一傷発生防止手段に相当）が延在している。尚、コード引出口４１のコード受面４２の終端部には実施の形態１に記載されたいずれかと同じ形状の傷発生防止対策（例えば、面取り部２３）が施されている。
【００４１】
以上説明したように、本発明の実施の形態２のコード固定構造１１によれば、コード引出口４１が台形形状となっており、溝の底面からテーパー状に壁部が形成されているので、線径寸法の多少の変動にも対応できる。また、溝の底面から開口方向にテーパー状に広がっているのでコード１５の装着が容易となる。その他に、請求項１と同じ効果を得ることができる。
（実施の形態３）
本発明の実施の形態３を図７および図８を用いて説明する。図７は本発明の実施の形態３のコード固定構造の要部を示す概略斜視図である。図８は本実施の形態２と一部が異なるコード固定構造の要部を示す拡大斜視図である。尚、実施の形態３は実施の形態１の一部を変更したものであり、実施の形態１と同じ構成については同じ符号を付し説明を省略する。
【００４２】
１２はコード固定構造で、図７で示すようにシャーシ本体５０、シャーシ蓋６０などにより構成されている。
【００４３】
シャーシ本体５０のコード引出口５１は同じコード引出口５１から複数のコード１５を引き出すようにしたものである。図７で示すようにシャーシ本体５０の開口部から方形形状に形成されており、コード引出口５１に沿ってコード引出口５１の形成面に対して略垂直方向に方形形状のコード１５のコード受面５２（第一傷発生防止手段に相当）が延在している。尚、コード引出口５１のコード受面５２の終端部には実施の形態１に記載されたいずれかと同じ形状の傷発生防止対策（例えば、面取り部２３）が施されている。
【００４４】
シャーシ蓋６０は、シャーシ本体５０に嵌合する箱体で、図７で示すようにシャーシ本体５０のコード引出口５１に対応する位置に、コード引出口５１から引出されたコード１５を押圧固定するコード押圧部６１が形成されている。コード押圧部６１は、シャーシ本体５０のコード引出口５１の幅寸法よりもやや小さめの幅寸法とし、コード１５に当接する先端部は所定の寸法に折り返されて密着曲げ部６２（第二傷発生防止手段に相当）、または、図８で示すようにコード押圧部６１の先端部は所定の円弧６３をもって折り返された形状となっている。
【００４５】
以上説明したように、本発明の実施の形態３のコード固定構造１２によれば、コード引出口５１が方形形状となっており、単線はもとより複数の線を並列に並べる場合や、複数の線を複数段千鳥状に重ねて固定する場合に、線どうしの接触により固定状態が保持される。複数の線を並列に並べる場合のコード引出口５１の形状、または、コード押圧部６１の先端部が所定の円弧６３をもって複数のコード１５を押圧できるように一体に折り返され簡略化された形状となっているので、コード固定構造１２のコスト低減が図れる。その他に請求項１と同じ効果を得ることができる。
【図面の簡単な説明】
【００４６】
【図１】本発明の実施の形態１のコード固定構造を示す概略図である。
【図２】本実施の形態１のコード固定構造の要部を示す拡大斜視図である。
【図３】本実施の形態１のコード引出口の終端部の別の形状を示す概略斜視図である。
【図４】本実施の形態１のコード押圧部の別の形状を示す概略正面図である。
【図５】本実施の形態１と一部が異なるコード固定構造の要部を示す拡大斜視図である。
【図６】本発明の実施の形態２のコード固定構造の要部を示す概略斜視図である。
【図７】本発明の実施の形態３のコード固定構造の要部を示す概略斜視図である。
【図８】本実施の形態３と一部が異なるコード固定構造の要部を示す拡大斜視図である。
【図９】従来のコード固定構造の第１例の要部を示す概略斜視図である。
【図１０】従来のコード固定構造の第２例の要部を示す概略斜視図である。
【符号の説明】
【００４７】
１０、１１、１２・・・コード固定構造
１５・・・コード
２０、４０、５０・・・シャーシ本体
２１、４１、５１・・・コード引出口
２２、４２、５２・・・コード受面
２３・・・面取り部
２４・・・曲げ部
２５、２６、３２、４７、６２・・・密着曲げ部
３０、４５、６０・・・シャーシ蓋
３１、４６、６１・・・コード押圧部
３３・・・円弧形状
３４・・・山形形状
６３・・・円弧
【図１】
2007165354.tif 000003
【図２】
2007165354.tif 000004
【図３】
2007165354.tif 000005
【図４】
2007165354.tif 000006
【図５】
2007165354.tif 000007
【図６】
2007165354.tif 000008
【図７】
2007165354.tif 000009
【図８】
2007165354.tif 000010
【図９】
2007165354.tif 000011
【図１０】
2007165354.tif 000012